(57)【要約】【課題】通信時に消費電力を削減しつつ、有意データを確実に送信することができる携帯電子機器を提供すること。【解決手段】携帯電話装置１は、記憶部５０と、送信用レジスタ６１と、記憶部５０に記憶されている送信データを送信用レジスタ６１に記憶させる処理である送信側処理を実行する送信処理部７２と、を備える。送信処理部７２は、処理に対して所定周期以下の遅延時間が発生する第１モードと、当該第１モードに比べて消費電力が多く、当該第１モードに比べて高速処理が可能である第２モードとを有する。また、送信処理部７２は、送信用レジスタ６１に記憶させる送信データが有意データであるとき、送信側処理を第２モードで実行し、送信用レジスタ６１に記憶させる送信データが有意データと異なるアイドルデータであるとき、送信側処理を第１モードで実行する。【選択図】図２
2012109878.tif 000002
【特許請求の範囲】
【請求項１】
時分割多重方式により通信を行う携帯電子機器であって、
アンテナを介して外部機器とデータを送受信する通信部と、
前記外部機器に送信する送信データを記憶する記憶部と、
送信データを一時的に記憶するレジスタと、
前記通信部を介して前記レジスタに記憶されている送信データを１つの送信タイムスロットによって前記外部機器に所定周期で送信するデータ処理部と、
前記記憶部に記憶されている前記送信データを前記レジスタに記憶させる処理である送信側処理を実行する制御部と、を備え、
前記制御部は、処理に対して前記所定周期以下の遅延時間が発生する第１モードと、当該第１モードに比べて消費電力が多く、当該第１モードに比べて高速処理が可能である第２モードとを有し、前記レジスタに記憶させる前記送信データが有意データであるとき、前記送信側処理を前記第２モードで実行し、前記レジスタに記憶させる前記送信データが前記有意データと異なるアイドルデータであるとき、前記送信側処理を前記第１モードで実行する携帯電子機器。
【請求項２】
前記記憶部は、前記外部機器から受信する受信データを記憶し、
前記レジスタは、前記通信部を介して受信した受信データを一時的に記憶し、
前記データ処理部は、１つの受信タイムスロットにおいて前記通信部により前記外部機器から前記所定周期で受信される前記受信データを前記レジスタに記憶させ、
前記制御部は、前記レジスタに記憶されている前記受信データを前記記憶部に記憶させ、前記通信部により次回受信される受信データを受信するための準備を行う処理である受信側処理を実行するときに前記送信側処理を実行する請求項１に記載の携帯電子機器。
【請求項３】
通信とともに実行可能なアプリケーションを制御するアプリケーション処理部を更に備え、
前記制御部は、前記アプリケーションが動作していない場合に、前記レジスタに記憶させる前記送信データが有意データであるときには、前記送信側処理を前記第２モードで実行し、前記レジスタに記憶させる前記送信データが前記アイドルデータであるときには、前記送信側処理を前記第１モードで実行する請求項２に記載の携帯電子機器。
【請求項４】
前記制御部は、次回に送信される送信データが前記アイドルデータから前記有意データに切り換わった場合、前記送信側処理を実行するモードを前記第１モードから前記第２モードに切り換える請求項２又は３に記載の携帯電子機器。
【請求項５】
前記制御部は、次回に送信される送信データが前記有意データから前記アイドルデータに切り換わった場合、前記送信側処理を前記第２モードで実行する請求項２から４のいずれか１項に記載の携帯電子機器。
【請求項６】
前記制御部は、前記送信データを第１の送信データとして前記レジスタに記憶させたことに応じて、当該第１の送信データと、当該第１の送信データの次に送信される第２の送信データが前記有意データか前記アイドルデータかのいずれであるかを判定し、前記第１の送信データ及び前記第２の送信データの少なくともいずれかが前記有意データであると判定した場合に、次回に実行する前記送信側処理を前記第２モードで実行し、前記第１の送信データ及び前記第２の送信データが前記アイドルデータであると判定した場合に、次回に実行する前記送信側処理を前記第１モードで実行する請求項２から５のいずれか１項に記載の携帯電子機器。
【請求項７】
前記制御部は、前記通信部により送信された送信データと、前記通信部により次回に送信される送信データとがアイドルデータである場合に、前記送信側処理を実行しない請求項２から６のいずれか１項に記載の携帯電子機器。
【請求項８】
前記制御部は、前記アプリケーションが動作している場合には、前記レジスタに記憶させる送信データの種類にかかわらず前記送信側処理を前記第２モードで実行する請求項３に記載の携帯電子機器。
【請求項９】
前記レジスタは、前記送信データを記憶する送信用レジスタと、前記受信データを記憶し、前記送信用レジスタと並列して読み書きが可能な受信用レジスタとから構成され、
前記データ処理部は、前記受信データを前記受信用レジスタに記憶し、前記送信データを前記送信用レジスタに記憶する請求項２から８のいずれか１項に記載の携帯電子機器。
【発明の詳細な説明】
【技術分野】
【０００１】
本発明は、時分割多重方式により通信を行う携帯電子機器に関する。
【背景技術】
【０００２】
従来、携帯電子機器において、ＣＰＵの稼働率を低減し、携帯電子機器の消費電力を削減することが提案されている。
【０００３】
例えば、特許文献１では、ＴＤＭＡ（Ｔｉｍｅ  Ｄｉｖｉｓｉｏｎ  Ｍｕｌｔｉｐｌｅ  Ａｃｃｅｓｓ：時分割多重接続）を用いた携帯電子機器において、待受時に受信する信号であって、情報本体を含む間欠受信信号について、信号を構成する情報に基づいて、情報本体に情報が存在するか否かを判定し、情報本体に情報が存在する場合にのみＣＰＵを起動させることにより、携帯電子機器の消費電力を削減する方法が提案されている。
【先行技術文献】
【特許文献】
【０００４】
【特許文献１】特開２００５−１５９９４６号公報
【発明の概要】
【発明が解決しようとする課題】
【０００５】
しかしながら、特許文献１では、待受時において携帯電子機器の消費電力を削減する方法が示されているに過ぎず、通話や電子メールの送受信やＷｅｂサーバ閲覧等を行っている状態である非待受時において携帯電子機器の消費電力を削減する方法について、示されていない。
【０００６】
ところで、ＣＰＵは、処理の遅延を防止するために、処理が即時実行可能な状態とされることが多い。しかしながら、ＣＰＵが処理を即時実行可能な状態である場合、ＣＰＵは、処理の発生状況について監視する必要があるので、処理を行っていなくとも電力を消費してしまう。そこで、ＣＰＵを消費電力が少なく、処理が実行されるまでに遅延が発生する省電力状態にさせておき、遅延の発生を許容して処理を実行する方法が提案されている。
【０００７】
一方で、有意データを遅延なく確実に送信することが求められている。しかしながら、省電力状態では遅延が発生してしまい、有意データを確実に送信できないおそれがある。
【０００８】
本発明は、通信時に消費電力を削減しつつ、有意データを確実に送信することができる携帯電子機器を提供することを目的とする。
【課題を解決するための手段】
【０００９】
本発明に係る携帯電子機器は、時分割多重方式により通信を行う携帯電子機器であって、アンテナを介して外部機器とデータを送受信する通信部と、前記外部機器に送信する送信データを記憶する記憶部と、送信データを一時的に記憶するレジスタと、前記通信部を介して前記レジスタに記憶されている送信データを１つの送信タイムスロットによって前記外部機器に所定周期で送信するデータ処理部と、前記記憶部に記憶されている前記送信データを前記レジスタに記憶させる処理である送信側処理を実行する制御部と、を備え、前記制御部は、処理に対して前記所定周期以下の遅延時間が発生する第１モードと、当該第１モードに比べて消費電力が多く、当該第１モードに比べて高速処理が可能である第２モードとを有し、前記レジスタに記憶させる前記送信データが有意データであるとき、前記送信側処理を前記第２モードで実行し、前記レジスタに記憶させる前記送信データが前記有意データと異なるアイドルデータであるとき、前記送信側処理を前記第１モードで実行する。
【００１０】
また、上記携帯電子機器では、前記記憶部は、前記外部機器から受信する受信データを記憶し、前記レジスタは、前記通信部を介して受信した受信データを一時的に記憶し、前記データ処理部は、１つの受信タイムスロットにおいて前記通信部により前記外部機器から前記所定周期で受信される前記受信データを前記レジスタに記憶させ、前記制御部は、前記レジスタに記憶されている前記受信データを前記記憶部に記憶させ、前記通信部により次回受信される受信データを受信するための準備を行う処理である受信側処理を実行するときに前記送信側処理を実行することが好ましい。
【００１１】
また、上記携帯電子機器は、通信とともに実行可能なアプリケーションを制御するアプリケーション処理部を更に備え、前記制御部は、前記アプリケーションが動作していない場合に、前記レジスタに記憶させる前記送信データが有意データであるときには、前記送信側処理を前記第２モードで実行し、前記レジスタに記憶させる前記送信データが前記アイドルデータであるときには、前記送信側処理を前記第１モードで実行することが好ましい。
【００１２】
また、上記携帯電子機器では、前記制御部は、次回に送信される送信データが前記アイドルデータから前記有意データに切り換わった場合、前記送信側処理を実行するモードを前記第１モードから前記第２モードに切り換えることが好ましい。
【００１３】
また、上記携帯電子機器では、前記制御部は、次回に送信される送信データが前記有意データから前記アイドルデータに切り換わった場合、前記送信側処理を前記第２モードで実行することが好ましい。
【００１４】
また、上記携帯電子機器では、前記制御部は、前記送信データを第１の送信データとして前記レジスタに記憶させたことに応じて、当該第１の送信データと、当該第１の送信データの次に送信される第２の送信データが前記有意データか前記アイドルデータかのいずれであるかを判定し、前記第１の送信データ及び前記第２の送信データの少なくともいずれかが前記有意データであると判定した場合に、次回に実行する前記送信側処理を前記第２モードで実行し、前記第１の送信データ及び前記第２の送信データが前記アイドルデータであると判定した場合に、次回に実行する前記送信側処理を前記第１モードで実行することが好ましい。
【００１５】
また、上記携帯電子機器では、前記制御部は、前記通信部により送信された送信データと、前記通信部により次回に送信される送信データとがアイドルデータである場合に、前記送信側処理を実行しないことが好ましい。
【００１６】
また、上記携帯電子機器では、前記制御部は、前記アプリケーションが動作している場合には、前記レジスタに記憶させる送信データの種類にかかわらず前記送信側処理を前記第２モードで実行することが好ましい。
【００１７】
また、上記携帯電子機器では、前記レジスタは、前記送信データを記憶する送信用レジスタと、前記受信データを記憶し、前記送信用レジスタと並列して読み書きが可能な受信用レジスタとから構成され、前記データ処理部は、前記受信データを前記受信用レジスタに記憶し、前記送信データを前記送信用レジスタに記憶することが好ましい。
【発明の効果】
【００１８】
本発明によれば、通信時に消費電力を削減しつつ、有意データを確実に送信することができる。
【図面の簡単な説明】
【００１９】
【図１】携帯電話装置の外観斜視図である。
【図２】携帯電話装置の機能を示す機能ブロック図である。
【図３】携帯電話装置と基地局との間におけるＴＤＭＡ−ＴＤＤ方式の通信を示す模式図である。
【図４】携帯電話装置において、アプリケーションが動作している場合に送信側処理及び受信側処理を実行するときの処理の内容を示す模式図である。
【図５】携帯電話装置において、アプリケーションが動作していない場合に送信側処理及び受信側処理を実行するときの処理の内容を示す模式図である。
【図６】携帯電話装置において、第２制御部が第１モードで動作している状態から第２モードで動作する状態になった場合における、第２制御部、送信用レジスタ及び受信用レジスタの動作する様子を示す図である。
【発明を実施するための形態】
【００２０】
以下、本発明の実施の形態について説明する。なお、本実施形態では、携帯電子機器の一例として、携帯電話装置について説明する。なお、本発明の携帯電子機器は、これに限られず、例えば、ＰＤＡ（Ｐｅｒｓｏｎａｌ  Ｄｉｇｉｔａｌ  Ａｓｓｉｓｔａｎｔ）の他、通信機能を備えたナビゲーション装置やパーソナルコンピュータ、更に、これらに接続される通信モジュール等、様々な携帯電子機器に適用可能である。
【００２１】
図１は、本実施形態に係る携帯電話装置１の外観斜視図である。本実施形態に係る携帯電話装置１は、時分割多重接続（ＴＤＭＡ：Ｔｉｍｅ  Ｄｉｖｉｓｉｏｎ  Ｍｕｌｔｉｐｌｅ  Ａｃｃｅｓｓ）方式及び時分割複信（ＴＤＤ：Ｔｉｍｅ  Ｄｉｖｉｓｉｏｎ  Ｄｕｐｌｅｘ）方式を多元接続技術として用いて基地局等の外部機器と通信を行うものである。なお、図１は、いわゆる折り畳み型の携帯電話装置の形態を示しているが、本発明に係る携帯電話装置の形態としては、特にこれに限られない。例えば、両筐体を重ね合わせた状態から一方の筐体を一方向にスライドさせるようにした回転式（ターンタイプ）や、操作部と表示部とが１つの筐体に配置され、連結部を有さない形式（ストレートタイプ）でもよい。
【００２２】
携帯電話装置１は、操作部側筐体部２と、表示部側筐体部３とを備えて構成される。
操作部側筐体部２は、表面部１０に、操作部１１と、携帯電話装置１の使用者が通話時に発した音声が入力されるマイク１２とを備えて構成される。操作部１１は、各種設定や電話機能やメール機能等の各種機能を作動させるための機能設定操作キー１３と、電話番号の数字やメール等の文字等を入力するための入力操作キー１４と、各種操作における決定やスクロール等を行う決定操作キー１５とから構成されている。
また、表示部側筐体部３は、表面部２０に、各種情報を表示するためのＬＣＤ（Ｌｉｑｕｉｄ  Ｃｒｙｓｔａｌ  Ｄｉｓｐｌａｙ）表示部２１と、通話の相手側の音声を出力するスピーカ２２とを備えて構成されている。
【００２３】
また、操作部側筐体部２の上端部と表示部側筐体部３の下端部とは、ヒンジ機構４を介して連結されている。また、携帯電話装置１は、ヒンジ機構４を介して連結された操作部側筐体部２と表示部側筐体部３とを相対的に回転することにより、操作部側筐体部２と表示部側筐体部３とを互いに開いた状態（開放状態）にしたり、操作部側筐体部２と表示部側筐体部３とを折り畳んだ状態（折畳み状態）にしたりできる。
【００２４】
図２は、本実施形態に係る携帯電話装置１の機能を示す機能ブロック図である。
携帯電話装置１は、図２に示すように、操作部１１と、マイク１２と、通信部３０と、ＬＣＤ制御部４１と、音声処理部４２と、記憶部５０と、第１制御部６０と、第２制御部７０（制御部）とを操作部側筐体部２に備える。また、携帯電話装置１は、ＬＣＤ表示部２１と、スピーカ２２と、ＬＣＤドライバ２３とを表示部側筐体部３に備える。
【００２５】
通信部３０は、基地局（図示省略）等の外部機器と信号の送受信を行う。この通信部３０は、アンテナとしてのメインアンテナ３１と、ＲＦ回路部３２とを備える。
【００２６】
メインアンテナ３１は、基地局等の外部機器と、所定の変調方式で変調された高周波信号の送受信を行う。
ＲＦ回路部３２は、メインアンテナ３１により送受信される高周波信号を処理する。具体的には、ＲＦ回路部３２は、メインアンテナ３１によって受信した信号を所定の復調方式で復調し、処理後の信号を第１制御部６０に供給する。また、ＲＦ回路部３２は、第１制御部６０から供給された信号を所定の変調方式で変調し、メインアンテナ３１を介して基地局等の外部機器に送信する。
【００２７】
本実施形態において、通信部３０は、ＴＤＭＡ−ＴＤＤ方式により基地局等と通信を行う。図３は、本実施形態の携帯電話装置１と基地局Ａとの間におけるＴＤＭＡ−ＴＤＤ方式の通信を示す模式図である。
【００２８】
図３に示すように、携帯電話装置１と基地局Ａとの通信において、１周波数帯域に対する多重化数（通信チャネル）は４つである。また、１スロットのスロット長は、０．６２５ｍｓｅｃである。ここで、１スロットとは、１周波数帯域の時分割による最小単位である。各スロットに対応する「Ｃ１」、「Ｃ２」、「Ｃ３」及び「Ｃ４」は、各スロットに割り当てられた通信チャネルである。また、図３に示される通信チャネルＣ２のスロットに示されているＴ１、Ｔ２、・・・ＴＮは、後述の送信用レジスタ６１に記憶されている送信データであり、Ｒ１、Ｒ２、・・・ＲＮは、後述の受信用レジスタ６２に記憶されている受信データである。
【００２９】
また、１フレームは、８つのスロットから構成され、１フレームのフレーム長は、５ｍｓｅｃである。１フレームの前半部分の４スロットは、送信タイムスロット（以下、送信タイムスロットを送信スロットという）として使用され、所定周期（５ｍｓｅｃ）での携帯電話装置１から基地局Ａへの通信に使用される。また、１フレームの後半部分の４スロットは、受信タイムスロット（以下、受信タイムスロットを受信スロットという）として使用され、所定周期（５ｍｓｅｃ）での基地局Ａから携帯電話装置１への通信に使用される。また、１マルチフレームは、２０のフレームから構成され、１マルチフレームのマルチフレーム長は、１００ｍｓｅｃである。なお、携帯電話装置１及び基地局Ａは、通信においてフレーム単位で同期を行う。
【００３０】
図２に再び話を戻す。ＬＣＤ制御部４１は、第２制御部７０の制御にしたがって、所定の画像処理を行い、処理後の画像データをＬＣＤドライバ２３に出力する。ＬＣＤドライバ２３は、フレームメモリを備えており、ＬＣＤ制御部４１から供給された画像データをフレームメモリに蓄える。そして、ＬＣＤドライバ２３は、フレームメモリに蓄えられた画像データを所定のタイミングでＬＣＤ表示部２１又はサブＬＣＤ表示部（図示省略）に出力する。
【００３１】
音声処理部４２は、第２制御部７０の制御に従って、第１制御部６０から供給された信号に対して所定の音声処理を行い、処理後の信号をスピーカ２２に出力する。スピーカ２２は、音声処理部４２から供給された信号を外部に出力する。また、音声処理部４２は、第２制御部７０の制御に従って、マイク１２から入力された信号を処理し、処理後の信号を第１制御部６０に出力する。
【００３２】
記憶部５０は、例えば、ワーキングメモリを含み、第２制御部７０による演算処理に利用される。また、記憶部５０は、基地局Ａに送信する送信データと、基地局Ａから受信した受信データとを記憶するとともに、本実施形態に係るアプリケーションや各種プログラム等を記憶する。また、記憶部５０は、後述の第１モード及び第２モードの切り換えに使用される切換フラグを記憶する。なお、記憶部５０は、着脱可能な外部メモリを兼ねていてもよい。
【００３３】
第１制御部６０は、中央演算装置（ＣＰＵ）等により構成されており、送信データを一時的に記憶する送信用レジスタ６１と、受信データを一時的に記憶する受信用レジスタ６２とを備える。送信用レジスタ６１と受信用レジスタ６２とは、並列して読み書きが可能である。
【００３４】
また、第１制御部６０は、データ処理部６３を備えており、主に通話等の通信に係る信号の処理を行う。すなわち、データ処理部６３は、送信用レジスタ６１に記憶されている送信データを、通信部３０を介して基地局等の外部装置に送信する。また、データ処理部６３は、通信部３０により受信した信号を、受信用レジスタ６２に記憶させる。
【００３５】
第２制御部７０（制御部）は、第１制御部６０に比べて動作周波数が高いＣＰＵ等により構成されており、アプリケーション等の制御等を行い、携帯電話装置１の全体を制御する。また、第２制御部７０は、処理に対して所定周期（５ｍｓｅｃ）以下の遅延時間が発生する第１モードと、当該第１モードに比べて消費電力が多く、当該第１モードに比べて高速処理が可能である第２モードとを有する。なお、第２モードにおける高速処理は、処理に対する影響を無視できる程度の遅延時間しか遅延が発生しない処理（以下、高速処理では処理が遅延しないものとして説明を行う）である。また、ここで示す処理とは、通信に係る処理や、アプリケーションに係る処理をいい、後述の送信側処理及び受信側処理を含む。
【００３６】
また、第２制御部７０は、アプリケーション処理部７１と、送信処理部７２と、受信処理部７３とを有する。アプリケーション処理部７１は、記憶部５０に記憶され、基地局との通信と並行して実行可能なアプリケーション（以下、基地局との通信と並行して実行可能なアプリケーションを単にアプリケーションという）を制御する。送信処理部７２は、記憶部５０に記憶されている送信データを送信用レジスタ６１に記憶させる処理である送信側処理を行う。受信処理部７３は、通信部３０により次回受信される受信データを受信するための準備を行う処理である受信側処理を行う。
本実施形態に係る第２制御部７０の詳細な処理については後述する。
【００３７】
本実施形態に係る携帯電話装置１において、第１制御部６０及び第２制御部７０は、非待受時に対応する通信状態（非待受状態）において消費電力を削減するため機能を有する。以下に、第１制御部６０及び第２制御部７０の詳細について説明する。
【００３８】
まず、携帯電話装置１の通信状態について説明する。携帯電話装置１の通信状態には、待受状態と、非待受状態とがある。
【００３９】
待受状態は、通信部３０が、通話やメール等に係る通信を基地局等と行わずに、所定周期よりも長い間隔（例えば、１．２ｓｅｃ）で基地局等から間欠信号を受信している通信状態である。
【００４０】
非待受状態は、通信部３０が待受処理に係る通信と異なる通信を基地局等と行っている通信状態である。すなわち、非待受状態は、携帯電話装置１が、通信部３０により、基地局等と、通話やメール等のユーザに直接関係するデータを受信スロット及び送信スロットにおいて所定周期で送受信している通信状態である。
【００４１】
第１制御部６０のデータ処理部６３は、１つの受信スロットにおいて通信部３０より基地局Ａから所定周期で受信される受信データを受信用レジスタ６２に記憶させる。また、第１制御部６０のデータ処理部６３は、通信部３０を介して、送信用レジスタ６１に記憶されている送信データを、１つの送信スロットによって基地局Ａに所定周期で送信する。
【００４２】
一方、第２制御部７０は、アプリケーションが動作していない場合には、送信処理部７２による送信側処理及び受信処理部７３による受信側処理を第１モード又は第２モードのいずれでも実行可能である。
また、第２制御部７０は、アプリケーションが動作している場合には、送信処理部７２による送信側処理及び受信処理部７３による受信側処理を第２モードで実行する。
【００４３】
なお、アプリケーションが動作していない場合とは、基地局との通信と並行して実行可能なアプリケーションが動作していない場合をいう。すなわち、アプリケーションが動作していない場合とは、携帯電話装置１が、通話やメール送受信のみ行っている場合、すなわち、送信用レジスタ６１及び受信用レジスタ６２を使用したデータの送受信を行わないアプリケーションが動作していない場合（例えば、通話時間のカウント表示やキャッチホンやＬＣＤ表示部２１の表示に係るアプリケーションが動作していない場合）をいう。
【００４４】
また、アプリケーションが動作している場合とは、基地局との通信と並行して実行可能なアプリケーションが動作している場合をいう。すなわち、アプリケーションが動作している場合とは、上述の送信用レジスタ６１及び受信用レジスタ６２を使用したデータの送受信を行わないアプリケーションが動作している場合（例えば、通話時間のカウント表示やキャッチホンやＬＣＤ表示部２１の表示に係るアプリケーションが動作している場合）をいう。
【００４５】
以下に、アプリケーションが動作していない場合の第２制御部７０の処理について詳細に説明する。
第２制御部７０の送信処理部７２は、送信用レジスタ６１に記憶させる送信データが有意データであるとき、送信側処理を第２モードで実行し、送信用レジスタ６１に記憶させる送信データが有意データと異なるアイドルデータであるとき、送信側処理を第１モードで実行する。
【００４６】
また、第２制御部７０の受信処理部７３は、第１制御部６０のデータ処理部６３により、受信用レジスタ６２に受信データが記憶されたことに応じて、受信側処理を第１モード又は第２モードで実行する。つまり、第２制御部７０の受信処理部７３は、送信処理部７２により送信用レジスタ６１に記憶される送信データが有意データである場合には、受信側処理を第２モードで実行し、送信処理部７２により送信用レジスタ６１に記憶される送信データがアイドルデータである場合には、受信側処理を第１モードで実行する。
【００４７】
なお、第２制御部７０の送信処理部７２は、受信処理部７３による受信側処理が実行された場合に、送信側処理を実行する。
【００４８】
また、第２制御部７０の送信処理部７２は、次回に送信される送信データがアイドルデータから有意データに切り換わった場合、送信側処理を実行するモードを第１モードから第２モードに切り換える。また、第２制御部７０の送信処理部７２は、次回に送信される送信データが有意データからアイドルデータに切り換わった場合、送信側処理を第２モードで実行する。
【００４９】
より具体的には、第２制御部７０の送信処理部７２は、送信データを第１の送信データとして送信用レジスタ６１に記憶させたことに応じて、当該第１の送信データと、当該第１の送信データの次に送信される第２の送信データが有意データかアイドルデータかのいずれであるかを判定する。第２制御部７０の送信処理部７２は、第１の送信データ及び第２の送信データの少なくともいずれかが有意データであると判定した場合に次回に実行される送信側処理を第２モードで実行する。また、第２制御部７０の送信処理部７２は、第１の送信データ及び第２の送信データがアイドルデータであると判定した場合に次回に実行される送信側処理を第１モードで実行する。
【００５０】
第２制御部７０の送信処理部７２は、記憶部５０に記憶されている切換フラグを用いてモードの切り換えを行う。つまり、第２制御部７０の送信処理部７２は、第１の送信データを送信用レジスタ６１に記憶させたことに応じて、第１の送信データ及び第２の送信データが有意データとアイドルデータとのいずれであるかを判定する。第２制御部７０の送信処理部７２は、第１の送信データ及び第２の送信データの少なくともいずれかが有意データであると判定した場合に、切換フラグをオンに設定する。また、第２制御部７０の送信処理部７２は、第１の送信データ及び第２の送信データがアイドルデータであると判定した場合に、切換フラグをオフに設定する。
【００５１】
そして、第２制御部７０の送信処理部７２は、切換フラグがオンの場合、送信側処理を第２モードで実行し、切換フラグがオフの場合、送信側処理を第１モードで実行する。同様に、第２制御部７０の受信処理部７３は、切換フラグがオンの場合、受信側処理を第２モードで実行し、切換フラグがオフの場合、送信側処理を第１モードで実行する。
【００５２】
なお、第２制御部７０の送信処理部７２は、アプリケーションが動作していない場合に、通信部３０により送信された送信データと、通信部３０により次回に送信される送信データとがアイドルデータである場合に、送信側処理を実行しないようにしてもよい。
【００５３】
通信部３０により送信された送信データと、通信部３０により次回に送信される送信データとがアイドルデータの場合、通信部３０により送信された送信データと、通信部３０により次回に送信される送信データの内容は変化しない。よって、携帯電話装置１は、送信側処理を実行しない場合でも、アイドルデータを確実に送信しつつ、第２制御部７０における処理の実行を省略して、消費電力を削減することができる。
【００５４】
続いて、送信側処理及び受信側処理を実行するときの処理について、図４を参照して説明する。図４は、本実施形態に係る携帯電話装置１において、アプリケーションが動作している場合に送信側処理及び受信側処理を実行するときの処理の内容を示す模式図である。なお、図４に示される処理では、通信チャネルＣ２を用いて通信が行われるものとする。また、図４に示される処理では、送信データＴ１がアイドルデータであり、送信データＴ２が有意データであるものとする。
【００５５】
図４に示される処理では、アプリケーションが動作しているので、送信処理部７２による送信側処理及び受信処理部７３による受信側処理は、第２モードで行われる。また、送信処理部７２による送信側処理は、受信処理部７３による受信側処理が実行された場合に実行される。
【００５６】
つまり、図４に示される処理では、時刻ｔ１において、データ処理部６３により送信データＴ１が送信されても、送信側処理は即時実行されない。続いて、第１制御部６０のデータ処理部６３により受信用レジスタ６２に受信データＲ１が記憶されたことに応じて、第２制御部７０の受信処理部７３は、時刻ｔ２において、第２モードで受信側処理ＰＲ１を実行する。続いて、第２制御部７０の送信処理部７２は、時刻ｔ３において、受信側処理ＰＲ１が完了したことに応じて、第２モードで送信側処理ＰＴ１を実行する。
【００５７】
また、時刻ｔ４において、データ処理部６３により送信データＴ２が送信されても、送信側処理は即時実行されない。続いて、第１制御部６０のデータ処理部６３により受信用レジスタ６２に受信データＲ２が記憶されたことに応じて、第２制御部７０の受信処理部７３は、時刻ｔ５において、第２モードで受信側処理ＰＲ２を実行する。続いて、第２制御部７０の送信処理部７２は、時刻ｔ６において、受信側処理ＰＲ２が完了したことに応じて、第２モードで送信側処理ＰＴ２を実行する。
【００５８】
なお、前述したアプリケーションは、第２制御部７０が、受信側処理ＰＲ１、ＰＲ２、送信側処理ＰＴ１、ＰＴ２の処理を行っているとき以外のタイミングで、第２制御部７０により実行される。つまり、本実施形態では、第２制御部７０は、受信側処理ＰＲ１の処理が実行される時刻ｔ２までの期間と、送信側処理ＰＴ１の処理が終了してから、受信側処理ＰＲ２の処理が実行される時刻ｔ５までの期間とにおいて、アプリケーション処理部７１によりアプリケーションを実行する。
【００５９】
図５は、本実施形態に係る携帯電話装置１において、アプリケーションが動作していない場合に送信側処理及び受信側処理を実行するときの処理の内容を示す模式図である。なお、図５に示される処理では、通信チャネルＣ２を用いて通信が行われるものとする。また、図５に示される処理では、送信データＴ１、Ｔ２、及びＴ４がアイドルデータであり、送信データＴ３が有意データであるものとする。また、図５に示される処理では、時刻ｔ１１において、切換フラグがオフであることとする。
【００６０】
図５に示される処理では、アプリケーションが動作していないので、送信処理部７２による送信側処理及び受信処理部７３による受信側処理は、第１モード又は第２モードで行われる。また、送信処理部７２による送信側処理は、受信処理部７３による受信側処理が実行された場合に実行される。
【００６１】
まず、時刻ｔ１１において、第２制御部７０の受信処理部７３は、受信側処理ＰＲ１０を第１モードで実行する。続いて、第２制御部７０の送信処理部７２は、時刻ｔ１２において、受信側処理ＰＲ１０が完了したことに応じて、送信側処理ＰＴ１０を第１モードで実行する。続いて、送信用レジスタ６１に送信データＴ１が記憶されると、第２制御部７０の送信処理部７２は、送信データＴ１及び送信データＴ２が有意データかアイドルデータのいずれであるかを判定する。ここでは、送信データＴ１及び送信データＴ２がアイドルデータであるので、切換フラグはオフに維持される。
【００６２】
続いて、時刻ｔ１３において、第１制御部６０のデータ処理部６３により受信用レジスタ６２に受信データＲ１が記憶されたことに応じて、第２制御部７０の受信処理部７３が受信側処理ＰＲ１１を実行するとともに、第２制御部７０の送信処理部７２が送信側処理ＰＴ１１を実行する。切換フラグはオフであるので、受信側処理ＰＲ１１及び送信側処理ＰＴ１１は、第１モードで実行される。第１モードでは、処理に対して所定周期以下（ここでは、２．５ｍｓｅｃ以下とする）の遅延時間が発生するので、受信側処理ＰＲ１１は、時刻ｔ１３から２．５ｍｓｅｃ経過していない時刻ｔ１４において開始される。
【００６３】
続いて、時刻ｔ１５において、受信側処理ＰＲ１１が終了したことに応じて、送信側処理ＰＴ１１が開始される。続いて、送信用レジスタ６１に送信データＴ２が記憶されると、第２制御部７０の送信処理部７２は、送信データＴ２及び送信データＴ３が有意データかアイドルデータのいずれであるかを判定する。ここでは、送信データＴ３は有意データであるので、第２制御部７０の送信処理部７２は、切換フラグをオンに切り換える。
【００６４】
続いて、時刻ｔ１６において、第１制御部６０のデータ処理部６３により受信用レジスタ６２に受信データＲ２が記憶されたことに応じて、第２制御部７０の受信処理部７３が受信側処理ＰＲ１２を実行するとともに、第２制御部７０の送信処理部７２が送信側処理ＰＴ１２を実行する。切換フラグはオンであるので、受信側処理ＰＲ１２及び送信側処理ＰＴ１２は、第２モードで実行される。第２モードでは、処理に対して遅延が発生しないので、受信側処理ＰＲ１２は、時刻ｔ１６において開始される。
【００６５】
続いて、時刻ｔ１７において、受信側処理ＰＲ１２が終了したことに応じて、送信側処理ＰＴ１２が開始され、送信データＴ３が送信用レジスタ６１に記憶される。このように、送信データＴ３は、時刻ｔ１７において、送信用レジスタ６１に記憶されるので、時刻ｔ１８において、第１制御部６０のデータ処理部６３により送信データＴ３を確実に送信することができる。
【００６６】
送信用レジスタ６１に送信データＴ３が記憶されると、第２制御部７０の送信処理部７２は、送信データＴ３及び送信データＴ４が有意データかアイドルデータのいずれであるかを判定する。送信データＴ３は有意データであるので、切換フラグはオンに維持される。
【００６７】
続いて、時刻ｔ１９において、第１制御部６０のデータ処理部６３により受信用レジスタ６２に受信データＲ３が記憶されたことに応じて、第２制御部７０の受信処理部７３が受信側処理ＰＲ１３を実行するとともに、第２制御部７０の送信処理部７２が送信側処理ＰＴ１３を実行する。切換フラグはオンであるので、受信側処理ＰＲ１３及び送信側処理ＰＴ１３は、第２モードで実行される。第２モードでは、処理に対して遅延が発生しないので、受信側処理ＰＲ１３は、時刻ｔ１９において開始される。
【００６８】
続いて、時刻ｔ２０において、受信側処理ＰＲ１３が終了したことに応じて、送信側処理ＰＴ１３が開始され、送信データＴ４が送信用レジスタ６１に記憶される。このように、送信データＴ４は、時刻ｔ２０において、送信用レジスタ６１に記憶されるので、時刻ｔ２１において、第１制御部６０のデータ処理部６３により送信データＴ４を確実に送信することができる。
【００６９】
以上、本実施形態によれば、携帯電話装置１は、送信用レジスタ６１に記憶させる送信データが有意データであるとき、当該送信データを送信用レジスタ６１に記憶させる送信側処理を第２モードで実行し、送信用レジスタ６１に記憶させる送信データが有意データと異なるアイドルデータであるとき、送信側処理を第１モードで実行する。第２モードは処理が遅延しないため、送信側処理は遅延なく実行される。また、第１モードは、消費電力が第２モードに比べて少ないものの処理に対して所定周期の半分以下（２．５ｍｓｅｃ以下）の遅延時間が発生する。よって、携帯電話装置１は、送信データが有意データである場合、有意データを遅延なく送信用レジスタ６１に記憶させて有意データを確実に送信することができる。また、携帯電話装置１は、送信データがアイドルデータである場合、消費電力が少ない第１モードで送信側処理を実行するので、消費電力を削減して送信することができる。したがって、携帯電話装置１は、通信部３０による通信時に消費電力を削減しつつ、有意データを確実に送信することができる。
【００７０】
ところで、アプリケーションが動作していない場合における、送信処理部７２及び受信処理部７３の処理について図５を用いて前述したものの、本発明においては別の実施形態も存在する。以下、図６を用いて、アプリケーションが動作していない場合における別の実施形態について説明する。
【００７１】
図６は、携帯電話装置１において、第２制御部７０が第１モードで動作している状態から第２モードで動作する状態になった場合における、第２制御部７０、送信用レジスタ６１及び受信用レジスタ６２の動作する様子を示す図である。
なお、本実施形態においては、受信データＲ１に有意データの送信を要求する要求情報が含まれていることとする。また、送信データＴ１、Ｔ２はアイドルデータであり、そして送信データＴ３、Ｔ４は有意データであるとする。
【００７２】
最初、図６においては、第１モードである第２制御部７０は、時刻ｔ３４において受信側処理ＰＲ２１を実行する。なお、この時刻ｔ３４において実行される受信側処理ＰＲ２１とは、通信部３０によってスロットＣ２にて受信された後に受信用レジスタ６２に記憶された受信データＲ１に対する、第２制御部７０の処理を指す。
つまり、第１モードである第２制御部７０は、時刻ｔ３３において受信した受信データＲ１を即時的に処理せずに、時刻ｔ３４において処理する。
【００７３】
そして、受信側処理ＰＲ２１において、第２制御部７０は、基地局から次に送信要求を受けているデータの種類は有意データであることを認識する。つまり、第２制御部７０は、時刻ｔ３５において、有意データを送信しなければいけないことを認識する。そして、次の起動時には第２モードで実行出来るように、第２制御部７０は、受信側処理ＰＲ２１において切換フラグをオン（第２モードに変更）にする。
また、第２制御部７０は、受信側処理ＰＲ２１が終了した後に引き続いて送信側処理ＰＴ２１を実行する。なお、第２制御部７０は、送信側処理ＰＴ２１において、具体的な送信データの作成を行わない。つまり、第２制御部７０は、送信データＴ２を作成する処理を何ら行わない。
【００７４】
送信側処理ＰＴ２１の後、第２制御部７０は待機状態となる。そして第２制御部７０がスリープした後、受信用レジスタ６２は、通信部３０が受信した受信データＲ２が記憶される。そして、受信用レジスタ６２に受信データＲ２が記憶されると、切換フラグはオン（第２モード）であるため、第２制御部７０は、受信データＲ２の処理である受信側処理ＰＲ２２を即時実行する（時刻ｔ３６）。そして、第２制御部７０は、受信側処理ＰＲ２２の処理に引き続いて、時刻ｔ３７において送信側処理ＰＴ２２を実行する。
そして、この送信側処理ＰＴ２２において、第２制御部７０は、有意データである送信データＴ３を作成する。
【００７５】
このようにして、第２制御部７０は、第１モードで消費電力量を節約しつつも、有意データ送信の際には第２モードになることによって、データを遅滞なく送信できる。
【００７６】
また、携帯電話装置１は、受信側処理が実行されたときに送信側処理を実行する。よって、携帯電話装置１では、受信側処理と送信側処理とが連続して行われることとなるので、第２制御部７０を構成するＣＰＵが駆動を開始する回数と、駆動を終了する回数とが減少する。したがって、携帯電話装置１は、ＣＰＵの立ち上がりと立ち下がりの回数を減少することができるので、消費電力を削減することができる。
【００７７】
また、携帯電話装置１は、アプリケーションが動作していない場合に、送信用レジスタ６１に記憶させる送信データが有意データであるとき、送信側処理を第２モードで実行し、送信用レジスタ６１に記憶させる送信データが有意データと異なるアイドルデータであるとき、送信側処理を第１モードで実行する。よって、携帯電話装置１は、アプリケーションが動作していない場合に、第１モード及び第２モードの切り換えを行うことによって、消費電力を削減することができる。
【００７８】
また、携帯電話装置１は、次回に送信される送信データがアイドルデータから有意データに切り換わった場合、送信側処理を実行するモードを第１モードから第２モードに切り換える。よって、携帯電話装置１は、送信データがアイドルデータから有意データに切り換わった場合に、送信側処理を第２モードに切り換えて、次回に実行される送信側処理で、有意データを遅延なく送信用レジスタ６１に記憶させることができる。
【００７９】
また、携帯電話装置１は、次回に送信される送信データが有意データからアイドルデータに切り換わった直後は、送信側処理を第２モードで実行する。よって、携帯電話装置１は、送信データが有意データからアイドルデータに切り換わった場合、アイドルデータを遅延なく送信用レジスタ６１に記憶させて、データ処理部６３にアイドルデータを確実に送信させることができる。
【００８０】
また、携帯電話装置１は、第１の送信データを送信用レジスタ６１に記憶させたことに応じて、当該第１の送信データと、当該第１の送信データの次に送信される第２の送信データが有意データかアイドルデータかのいずれであるかを判定し、第１の送信データ及び第２の送信データの少なくともいずれかが有意データであると判定した場合に、次回に実行される送信側処理を第２モードで実行し、第１の送信データ及び第２の送信データがアイドルデータであると判定した場合に、次回に実行される送信側処理を第１モードで実行する。
【００８１】
よって、携帯電話装置１は、第１の送信データ及び第２の送信データの少なくともいずれかが有意データであると判定した場合に、次回に実行される送信側処理を第２モードで実行するので、送信データがアイドルデータから有意データに切り換わったり、連続して有意データが送信されたりする場合に、送信側処理を第２モードで実行する。よって、携帯電話装置１は、次回に送信されるデータが変化する場合に、データ処理部６３により送信される前に、送信用レジスタ６１に確実に記憶させることができる。更に、携帯電話装置１は、第１の送信データ及び第２の送信データがアイドルデータである場合、すなわち、アイドルデータの送信が連続する場合に、第１モードで送信側処理を実行して、消費電力を削減することができる。
【００８２】
また、携帯電話装置１は、アプリケーションが動作している場合には、常に送信側処理を第２モードで実行する。よって、携帯電話装置１は、アプリケーションが動作している場合に、処理に遅延が生じない第２モードで送信側処理を実行するので、アプリケーションの処理を遅延させることなく、送信側処理を実行することができる。
【００８３】
また、携帯電話装置１の第１制御部６０は、送信データを記憶する送信用レジスタ６１と、受信データを記憶し、送信用レジスタと並列して読み書きが可能な受信用レジスタ６２とを備える。そして、携帯電話装置１のデータ処理部６３は、受信データを受信用レジスタ６２に記憶し、送信データを送信用レジスタ６１に記憶する。よって、携帯電話装置１は、送信側処理と受信側処理とを並列に実行して、ＣＰＵの立ち上がりと立ち下がりの回数をより確実に減少させて、消費電力を削減することができる。
【００８４】
以上、好適な実施形態について説明したが、本発明は前述した実施形態に限定されることなく種々の形態で実施することができる。また、前述の実施形態に記載された効果は、本発明から生じる最も好適な効果を列挙したに過ぎず、本発明による効果は、前述のものに限定されない。
【符号の説明】
【００８５】
１  携帯電話装置
３０  通信部
３１  メインアンテナ
５０  記憶部
６０  第１制御部
６１  送信用レジスタ
６２  受信用レジスタ
６３  データ処理部
７０  第２制御部
７２  送信処理部
７３  受信処理部
【図１】
2012109878.tif 000003
【図２】
2012109878.tif 000004
【図３】
2012109878.tif 000005
【図４】
2012109878.tif 000006
【図５】
2012109878.tif 000007
【図６】
2012109878.tif 000008